(57)【要約】【課題】設置時において設置部材に対してカメラ本体の取り付けが容易となる撮像装置を提供する。【解決手段】撮像装置において、設置面に対して固定され、設置面から突き出すように設けられる係止爪を有する設置部材と、撮像ユニットが固定されて係止爪が係合する被係合部を有する筺体ベース部と、を配し、被係合部は、筺体ベース部における設置面側から設置面側とは反対の側に貫通する係止部に設けられることとする。【選択図】  図１
2020014131.tif 000002
【特許請求の範囲】
【請求項１】
設置面に対して固定され、設置面から突き出すように設けられる係止爪を有する設置部材と、
撮像ユニットが固定されて前記係止爪が係合する被係合部を有する筺体ベース部と、を備え、
前記被係合部は、前記筺体ベース部における前記設置面側から前記設置面側とは反対の側に貫通する係止部に設けられることを特徴とする撮像装置。
【請求項２】
前記係止爪は、突き出し方向とは異なる方向に撓むことが可能な弾性を有することを特徴とする請求項１に記載の撮像装置。
【請求項３】
前記被係合部は前記係止部に設けられた段差であり、前記係止爪は突き出し方向とは異なる方向に突き出した返し部を有し、
前記返し部が前記段差に係合することにより前記係止爪が前記被係合部と係合することを特徴とする請求項１又は２に記載の撮像装置。
【請求項４】
前記係止部を前記設置面側とは反対の側から覆う、前記筺体ベース部に対して取り外し可能なカバー部材を更に備えることを特徴とする請求項１乃至３の何れか１項に記載の撮像装置。
【請求項５】
前記カバー部材は、前記係止部に嵌り込んで前記係止爪と前記被係合部との係合の解除を防ぐ爪支持形状部を有することを特徴とする請求項４に記載の撮像装置。
【請求項６】
前記カバー部材は、筺体カバー部として、前記筺体ベース部に固定される前記撮像ユニットを前記設置面側とは反対の側から覆うことを特徴とする請求項４に記載の撮像装置。
【請求項７】
前記カバー部材は、前記係止部に嵌り込んで前記係止爪と前記被係合部との係合の解除を防ぐ爪支持形状部を有することを特徴とする請求項６に記載の撮像装置。
【請求項８】
前記爪支持形状部は、前記筺体カバー部から前記筺体ベース部へ向かって突き出す凸形状を有することを特徴とする請求項７に記載の撮像装置。
【請求項９】
前記爪支持形状部は、対応する前記係止部に嵌り込むことにより、前記筺体カバー部と前記筺体ベース部のとの位置決めを行うことを特徴とする請求項７又は８に記載の撮像装置。
【請求項１０】
前記筺体カバー部はタンパーネジにより前記筺体ベース部に固定されることを特徴とする請求項６乃至９の何れか１項に記載の撮像装置。
【請求項１１】
前記筺体カバー部と前記筺体ベース部との間に配置され、前記撮像ユニットが固定される空間を、前記係止部が連通する空間から閉鎖するシール構造を更に備えることを特徴とする請求項６乃至１０の何れか１項に記載の撮像装置。
【請求項１２】
前記係止部は、前記被係合部と前記係止爪との係合を解除する工具を挿入する空間を更に有することを特徴とする請求項１乃至１１の何れか１項に記載の撮像装置。
【請求項１３】
前記係止部は、前記設置面側から前記反対の側に向かうに従って形成方向に垂直な断面積が小さくなる形状を有することを特徴とする請求項１乃至１２の何れか１項に記載の撮像装置。
【発明の詳細な説明】
【技術分野】
【０００１】
本発明は、監視カメラに例示される撮像装置に関する。
【背景技術】
【０００２】
監視カメラは広域を監視する用途に用いられることが多いため、壁や天井など高所に設置されることが多い。しかしながら、高い位置に片手で監視カメラを保持しながら、さらに反対の手でこれを設置場所に対してねじ固定する作業は、監視カメラの設置作業者にとっては重労働である。また、このような作業は、取り付け自体を難しくするだけでなく、監視カメラを落下させる可能性も含む。設置作業時における監視カメラの落下は、カメラが壊れるだけでなく怪我に結びつく可能性もある。このため、設置作業性の高い監視カメラの開発が望まれている。
【０００３】
例えば特許文献１では、設置作業性を高めるため、ねじ止めすることなく固定が可能な監視カメラの構造が開示されている。この監視カメラは、壁等に直接固定される設置部材と、該設置部材を介して壁等に固定されることとなるカメラ本体とより構成される。この監視カメラの取り付け構造によれば、設置部材に対して、カメラ本体を取り付けるための３つの取り付け穴が形成されている。そして、カメラ本体の裏面に構成された取り付けネジの頭部をこの取り付け穴に係合させることで、カメラ本体を設置部材に対して固定する。
【０００４】
具体的には、取り付け穴は大径部分とこれに連続する小径部分とから構成されており、大径部分の大きさが、カメラ本体の裏面の取り付けネジの頭部の径より大きく設定されている。また、小径部分の大きさは、取り付けネジの頭部の径より小さく設定されている。カメラ本体固定時には、取り付けネジの頭部を取り付け穴の大径部分に差し込んだ後、カメラ本体を回転させて、取り付けネジの頭部を小径部分に位置させる。この操作により、取り付けネジの頭部が取り付け穴から抜けなくなり、カメラ本体を設置部材に対して固定することができる。
【先行技術文献】
【特許文献】
【０００５】
【特許文献１】特開２０１０−１８５９０９号公報（特許第５０３３１４９号公報）
【発明の概要】
【発明が解決しようとする課題】
【０００６】
しかしながら、特許文献１に開示された構成では、取り付け時に設置作業者がカメラ本体裏面に取り付けられた取り付けネジの位置を目視確認することができない。また、取り付けネジを差し込む取り付け穴も、取り付け時にはカメラ本体の陰に隠れて目視できなくなるため、取り付けネジの頭部を取り付け穴に対して容易に差し込めない可能性がある。
【０００７】
本発明はこのような状況に鑑みたものであって、設置時において設置部材に対してカメラ本体の取り付けが容易となる撮像装置の提供を目的とする。
【課題を解決するための手段】
【０００８】
上記課題を解決するために、本発明の一態様に係る撮像装置は、
設置面に対して固定され、設置面から突き出すように設けられる係止爪を有する設置部材と、
撮像ユニットが固定されて前記係止爪が係合する被係合部を有する筺体ベース部と、を備え、
前記被係合部は、前記筺体ベース部における前記設置面側から前記設置面側とは反対の側に貫通する係止部に設けられることを特徴とする。
【発明の効果】
【０００９】
本発明によれば、設置時において設置部材に対してカメラ本体の取り付けが容易となる撮像装置を提供することができる。
【図面の簡単な説明】
【００１０】
【図１】本発明の第１の実施例に係る撮像装置の正面側からの分解斜視図
【図２】図１に例示した撮像装置の背面側からの分解斜視図
【図３】図１に例示した撮像装置の断面図
【図４】図１に例示した撮像装置における係止部の拡大断面図
【図５】図４に示した係止部を正面側から見た状態を示す図
【図６】本発明の第２の実施例に係る撮像装置の正面側からの分解斜視図
【図７】図６に例示した撮像装置における係止部の拡大断面図
【発明を実施するための形態】
【００１１】
以下に、本発明を実施するための例示的な実施例について、添付図面を参照して詳細に説明する。ただし、以下の実施例で説明される寸法、材料、及び構成要素の相対的な位置等は任意であり、本発明が適用される装置の構成又は様々な条件に応じて変更できる。また、同一であるか又は機能的に類似している要素を示す場合は、図面間で同じ参照符号を用いる。
【００１２】
＜第１の実施例＞
以下、図１から図５を参照して、本発明の第１の実施例に係る撮像装置（監視カメラ）について詳細に説明する。まず、本実施例に係る撮像装置の構成およびその設置手順を、図１および図２を用いて説明する。図１は撮像装置の正面側からの分解斜視図であり、図２は該撮像装置の背面側からの分解斜視図である。なお、以下の説明において、撮像装置が取り付けられる設置面側（図１中の左側）を後方とし、撮像装置におけるこの後方とは逆側を前方（図中右側）若しくは正面側とする。しかしこの前方及び後方は便宜的な方向であって、実際の装置構成時の具体的方向を規定するものではない。
【００１３】
撮像装置１は、設置部材２０と筺体ユニット（カメラ本体）１１とを備える。撮像装置１においては、カメラ設置面２に対し固定される設置部材２０を介して、筺体ユニット１１がカメラ設置面２に対して固定される。筺体ユニット１１は更に、前方側一端部が開放された略円筒形状の筺体ベース部３０と、該略円筒形状の開放端を前方側から閉鎖する筺体カバー部４０とを備える。筺体ベース部３０の内部には、撮像装置１として実際に対象物を撮像するカメラユニット５０と回路基板５１とが配される。カメラユニット５０および回路基板５１は、筺体ベース３０部に対して分離可能に固定される筺体カバー部４０により覆われ、筺体ユニット１１内に内包される。
【００１４】
次に撮像装置１の設置手順と、該手順に併せて更に詳細な構成について説明する。まず、カメラ設置面２に対して本実施例では略平板状の金属製の設置部材２０を取り付ける。その際、カメラ設置面２は壁でも天井でもよい。また、カメラ設置面２には、必要に応じて、撮像装置１の電源ケーブル等の配線ケーブル（不図示）を導くための配線穴３が予め設けられており、当該配線穴３はこれら配線を撮像装置１から外部に引き出すのに使われる。
【００１５】
設置部材２０は、弾性係止爪２２、貫通穴２３、落下防止ワイヤ固定部２４、および筺体ベース固定穴２６が設けられた略平板状の金属部材である設置ベース部２１を有する。設置ベース部２１には、配線穴３に対応してこれを筺体ベース部３０の後面と対向させるための切り欠き部が設けられる。
【００１６】
設置ベース部２１は、複数個設けられたネジ固定用の貫通穴２３を用い、不図示のネジ等によってカメラ設置面２にねじ固定される。複数の弾性係止爪２２、および落下防止ワイヤ固定部２４は、設置ベース部２１から筺体ベース部３０側（前方）に向かって突き出すように設けられる。複数の弾性係止爪２２は筺体ベース部３０を設置部材２０に仮固定する際に用いられ、落下防止ワイヤ固定部２４は後述するように落下防止ワイヤ３４により筺体ベース部３０を設置部材２０に連結するために用いられる。また、筺体ベース固定穴２６は、筺体ベース部３０を設置部材２０に対して本固定する際に用いられる。
【００１７】
筺体ベース部３０には、リブ形状部３１、係止穴３２、ケーブルパッキング３３、および筺体ベース固定穴３７が設けられる。また、筺体ベース部３０には、落下防止ワイヤ３４と筺体ベース固定ネジ３６が付随する。
【００１８】
図２に示すように、落下防止ワイヤ３４は筺体ベース部３０の設置面側（後方面側）に一端が固定されており、他端が設置部材２０の落下防止ワイヤ固定部２４に引っ掛けることにより固定可能とされる。これにより、落下防止ワイヤ３４によって筺体ベース部３０をカメラ設置面２に対して吊るすことができる。従って、設置作業者は、筺体ベース部３０を設置部材２０に吊るして両手で配線作業を行うことができるため作業性が向上する。
【００１９】
配線作業において、設置作業者はカメラ設置面２の配線穴３から不図示の配線ケーブルを引き出す。この配線ケーブルはケーブルパッキング３３を貫通させて筺体ベース部３０の内部に導かれ、筺体ベース部３０内に配される回路基板５１上の不図示のコネクタに接続される。配線ケーブルの接続作業の完了後、設置作業者は配線ケーブルの余長をカメラ設置面２の内側に押し戻しつつ、弾性係止爪２２を係止穴３２に挿入する。
【００２０】
次に弾性係止爪２２と係止穴３２との関係について、撮像装置における係止穴３２を通る切断面を示す図３、および係止穴３２およびその周辺の断面を示す図４を参照して詳細に説明する。なお、周囲の構成との差異を把握容易とするため、図面において切断面はハッチングにて示すこととする。係止穴３２は、設置部材２０と対向する後面から筺体カバー部４０と対向する前面まで筺体ベース部３０を貫通するように設けられる。一方、弾性係止爪２２は、設置ベース部２１から筺体ベース部３０側に向かって前方に突き出す形状として設けられる。図４は、この弾性係止爪２２を係止穴３２に挿入する際の位置関係を断面にて示している。
【００２１】
図４（ａ）に、設置部材２０に対して筺体ベース部３０を組み付ける前のこれら部材、および筺体カバー部４０の位置関係を示す。なお、同図において、設置部材２０はカメラ設置面２に固定されていることとする。設置部材２０に対して筺体ベース部３０を組み付ける際には、設置部材２０に筺体ベース部３０を近付け、弾性係止爪２２と対応する係止穴３２とを位置合せし、位置合せした係止穴３２に弾性係止爪２２を差し込ませる。この際、係止穴３２は筺体ベース部３０の後方側から前方側まで貫通しているため、該係止穴３２を通して前方から弾性係止爪２２を目視しながらこれを係止穴３２に挿入できる。そのため、特許文献１に記載したような従来の構造と比較して位置合わせが容易となり、作業性が向上する。
【００２２】
弾性係止爪２２は、延在方向に対して略垂直な方向に撓む弾性を有しており、図４（ａ）に示されるように、延在方向とは異なる方向に突き出した返し部２５が設けられている。また、係止穴３２には、貫通方向（形成方向）において後方から前方に向かうに従って穴の大きさが小さくなる軸方向断面におけるテーパー形状を部分的に有する。このテーパー形状部を設けることにより、位置合せが不完全な弾性係止爪２２と係止穴３２との組み合わせがあっても、これらのずれによらず係止穴３２への弾性係止爪２２の挿入ができる。そして、穴の大きさの最小位置から穴が一気に大きくなる、軸方向（形成方向）断面における段差形状を有する。なお、この穴の大きさとは、穴の形成方向に対して垂直な断面における大きさのことをいう。この段差形状部分は返し部２５の突き出し方向と対応して設けられ、該返し部２５が係止される爪かかり部３５を構成する。弾性係止爪２２と係止穴３２とは、以上の構造からなる所謂スナップフィットを構成する。
【００２３】
図４（ｂ）に、設置部材２０に対して筺体ベース部３０を更に押し込んだ際の、返し部２５と爪かかり部３５との位置関係を示す。設置部材２０に対して筺体ベース部３０を押し込んでいくと、弾性係止爪２２は図中の矢印方向に変形し、返し部２５が爪かかり部３５を乗り越える。返し部２５は爪かかり部３５を超えると弾性によって元の姿勢に戻り、返し部２５が爪かかり部３５に係合することとなる。複数の返し部２５が各々対応する爪かかり部３５に係合することにより、設置部材２０に対して筺体ベース部３０が固定される。
【００２４】
この状態（図４（ｂ））にある筺体ベース部３０を筺体カバー４０部側（前方側）から見た係止穴３２とその近傍の拡大図を図５に示す。弾性係止爪２２の返し部２５が爪かかり部３５に係止されており、係止穴３２を介してその状態を設置作業者が目視可能となっている。この状態は、筺体ベース部３０を設置部材２０に仮固定した状態であるが、その後のネジによる本固定の際に、設置者が仮固定の状態の適否を判断できる。
【００２５】
また、例えばメンテナンス時には設置部材２０に対して筺体ベース部３０がどのように固定されているか、設置作業者は一目で確認できる。例えば特許文献１に開示される構成の場合、カメラ本体を設置部材に取り付けてしまうと係合部が見えない。このため、メンテナンスを行う作業者に取り付け方法の知識がない場合は、どうやって外せばよいか目視で確認することはできない。従って、メンテナンス作業時の本体取り外しに手間取る可能性がある。
【００２６】
本実施例では、設置部材２０に対する筺体ベース部３０の固定様式が外部から目視で確認できる。このため、弾性係止爪２２を押し戻して筺体ベース部３０を設置部材２０から取り外すという本体取り外しの方法が容易にわかる。従って、メンテナンス時における取り外しの作業性についても向上する。なお、取り外しに際しては、係止穴３２に対して、例えば図５に示すような返し部２５を爪かかり部３５から押し戻して外すための工具挿入のための工具挿入形状部３９を設けてもよい。このような構成を設けることでメンテナンス時の作業性を更に向上させることができる。
【００２７】
筺体ベース部３０は、筺体ベース固定ネジ３６を設置部材２０に設けられた筺体ベース固定穴２６に対してネジ固定することによって、設置部材２０に対して固定される。この本固定の操作により、筺体ベース部３０は設置部材２０に対し、外部からの振動や衝撃等を受けた場合であっても、各々の位置関係がずれたり、外れたりすることなく一体化した状態を維持することができる。なお、本実施では弾性係止爪２２と係止穴３２との係合状態を仮固定に用い、ネジ固定により筺体ベース部３０を設置部材２０に対して本固定することとしている。しかし、係止状態により得られる固定が安定していれば、ネジ等による本固定を無くすこととしてもよい。
【００２８】
次の手順では、筺体ベース部３０に対して筺体カバー部４０が取り付けられる。筺体カバー部４０は、筺体ベース部３０側の後面に配置される筺体パッキング４１、爪支持形状部４２、筺体カバー固定ネジ４３、および窓部材４４を備える。爪支持形状部４２は、筺体ベース部３０における係止穴３２と対応して設けられ、図４（ｂ）に示すように筺体ベース部３０の係止穴３２に嵌り込める大きさを有して、筺体ベース部３０に向けて突出するように設けられる。窓部材４４は略円板形状の筺体カバー部４０の中央に配置される略透明の部材であり、カメラユニット５０の光軸上に配置されて該カメラユニット５０による外部の撮像を可能とする。
【００２９】
図４（ｃ）に、設置部材２０に取り付けた筺体ベース部３０に対して筺体カバー部４０を取り付けた際の位置関係を示す。係止穴３２に挿入された爪支持形状部４２は、弾性係止爪２２における返し部２５の突き出し方向とは逆の側に嵌り込み、弾性係止爪２２が爪かかり部３５を乗り越えて抜けることを妨げる。例えば、設置者が筺体ベース固定ネジ３６により筺体ベース部３０を設置部材２０に固定することを忘れる場合も考えられる。このような場合であっても、筺体カバー部４０を筺体ベース部３０に固定することにより、筺体ベース部３０が衝撃などによって設置部材２０より外れて落下する事故を未然に防ぐことができる。
【００３０】
本実施例では、爪支持形状部４２が筺体ベース部３０と筺体カバー部４０の合わせ面Ａ（図４（ｃ）参照）よりも筺体ベース部３０側に突出している。これにより、爪支持形状部４２と係止穴３２とが対になって、筺体ベース部３０に対する筺体カバー部４０の位置決めのガイドの機能を兼ねることができる。このため、筺体ベース部３０と筺体カバー部４０の位置関係を間違えることがなく、後述する筺体カバー固定ネジ４３と対応するネジ穴である筺体ベース固定穴３７とを容易に位置合せできる。従って、筺体ベース部３０に対して筺体カバー部４０の固定位置も正確に合わせられるため、設置作業性が向上する。
【００３１】
なお、本実施例では合わせ面Ａよりも爪支持形状部４２が突出することとしているが、本発明の構成はこのような態様に限定されない。例えば弾性係止爪２２の先端が合わせ面Ａより突き出して筺体カバー部４０内に位置する構成とすることで、弾性係止爪２２の撓みを規制し、且つ上述した位置決めの効果を持たせてもよい。即ち、返し部２５の移動規制と筺体カバー部４０の位置決めの効果が得られれば、爪支持形状部４２の態様は実施例に限られない。
【００３２】
爪支持形状部４２を係止穴３２に押し込むことで、筺体カバー部４０は筺体ベース部３０に対して固定可能な状態となる。この状態から筺体カバー固定ネジ４３を締めて筺体ベース固定穴３７に対して固定することで、筺体カバー部４０が筺体ベース部３０に対して固定される。なお、その際に、筺体カバー部４０側の筺体パッキング４１は、筺体ベース部３０側の対応するリブ形状部３１により押しつぶされ、筺体パッキング４１の内部の空間を外部の空間に対して密閉する。これにより、筺体ユニット内のカメラユニット５０や回路基板５１を防水に保つことができる。なお、係止穴３２、筺体ベース固定ネジ３６、筺体ベース固定穴３７等は外部の空間とつながって形成されることが多く、これら構成を伝わって筺体ユニットの内部に水が入る可能性がある。従って、これら構成は、防水等のための筺体パッキング４１で囲まれた空間の外側に構成するとよい。
【００３３】
上述したように、本実施例では、設置部材２０に対する筺体ベース部３０の取り付け状態が筺体ベース部３０の外側（前方）から容易に目視できる。このため、撮像装置１をカメラ設置面２に固定した後であっても、外部から簡単に撮像装置１を取り外すことができ、取り外しの作業も容易に行える。その反面、取り外し作業の容易化によって、該撮像装置１が意図しない第三者により撤去されたり盗難されたりする懸念がある。これに対し、筺体カバー部４０を筺体ベース部３０に係合、固定することにより、係止穴３２や弾性係止爪２２、更には筺体ベース固定ネジ３６を外部から覆い隠すことができる。従って、撮像装置１がカメラ設置面２から撤去される等の可能性を下げられる。更に筺体カバー部４０を筺体ベース部３０に固定する筺体カバー固定ネジ４３の種類をタンパーネジ等のいたずら防止ネジとすれば、このネジ自体が容易に外せなくなる。従って、撮像装置１が容易にカメラ設置面２から取り外される、或いは持ち去られる等を防止できる。
【００３４】
以上に述べたように、本実施例に係る撮像装置では、所謂スナップフィット（２２，３２）により筺体ベース部３０（撮像装置１の本体）を設置部材２０に係止可能としている。そして、その際に、該スナップフィットの位置合せや係合状態を目視可能な構成（筺体ベース部３０を貫通する係止穴３２）を筺体ベース部３０に配することとしている。従って、カメラ設置面２に対する撮像装置１の取り付け作業中およびメンテナンス作業が容易となる。また、この撮像装置１にあっては、スナップフィットの係合部を筺体カバー部４０により覆い隠す構造も加えている。当該構造を加味することで、設置時およびメンテナンス時の作業性が高いにもかかわらず、設置後の盗難等の可能性を低減させた撮像装置を提供することができる。
【００３５】
＜第２の実施例＞
上述した第１の実施例では、筺体ベース部３０に設ける係止穴３２を該筺体ベース部３０の後面（設置部材２０側面）から前面（筺体カバー部４０側面）まで貫通させ、弾性係止爪２２と係止穴３２との位置関係を目視可能としている。これに対して、第２の実施例に係る撮像装置では、係止させる構成の一方の形状が、係止穴ではなく溝形状である点が第１の実施例と異なっている。
【００３６】
以下、図６および７を参照して、本発明の第２の実施例に係る撮像装置について詳細に説明する。なお、本実施例に係る撮像装置と第１の実施例で述べた撮像装置の諸構成と略同じ機能作用を得る構成については同じ参照番号を付記することとし、ここでの説明を割愛する。また、相違点と直接関係の無い構成については、図面の複雑化を避けるために図中における参照番号の付記自体を省略する。以下では、相違点となる係止溝およびこれに関連する構成に焦点をあてて説明する。また、図６は図１と同様の様式にて第２の実施例に係る撮像装置１０１を示す正面側からの分解斜視図であり、図７は図４と同様の様式にて弾性係止爪を係止溝に挿入する際の位置関係を断面にて示す図である。
【００３７】
本実施例に係る撮像装置１０１は、カメラ設置面２に対し、設置部材２０を介して設置、固定される。撮像装置１０１は設置部材２０および筺体ユニット１１を備え、筺体ユニット１１は少なくとも筺体ベース部３０および筺体カバー部４０を備える。筺体ベース部３０の内部には、カメラユニット５０と回路基板５１とが配される。カメラユニット５０および回路基板５１は、筺体ベース部３０に対して分割可能に固定される筺体カバー部４０により覆われ、筺体ユニット１１に内包される。
【００３８】
本実施例では、筺体ベース部３０の円筒形状の周面上に、後面から前面に至る係止溝３８が設けられる。また、設置部材２０より筺体ベース部３０側に突き出すように設けられる弾性係止爪２２は、係止溝３８に対応する位置に配置されている。弾性係止爪２２は、筺体ベース部３０側（係止溝３８の底面側）に向けて突き出す返し部２５を有する。また、係止溝３８の底面には、後面側から所定距離の位置に底面がより深くなるように設けられた段差部である爪かかり部３５が設けられる。
【００３９】
次に、撮像装置１０１のカメラ設置面２に対する設置手順について説明する。まず、カメラ設置面２に対して略平板形状の金属製の設置部材２０を取り付ける。その後、上述した弾性係止爪２２を係止溝３８に挿入し、返し部２５と爪かかり部３５をと係合させることにより、筺体ベース部３０を設置部材２０に対して係止させる。この弾性係止爪２２を係止溝３８に挿入する際の位置関係を、図７の係止溝部の断面図を用いて説明する。
【００４０】
図７（ａ）に、設置部材２０に対して筺体ベース部３０を組み付ける前のこれら部材、および筺体カバー部４０の位置関係を示す。なお、同図において、設置部材２０はカメラ設置面２に固定されていることとする。設置部材２０に対して筺体ベース部３０を組み付ける際には、設置部材２０に筺体ベース部３０を近付け、弾性係止爪２２と対応する係止溝３８とを位置合せし、位置合せした係止溝３８に弾性係止爪２２を差し込ませる。この際、係止溝３８は筺体ベース部３０の側面に位置しているため、弾性係止爪２２を目視しながらこれを係止溝３８に挿入できる。そのため、特許文献１に記載したような従来の構造と比較して位置合わせが容易となり、作業性が向上する。
【００４１】
図７（ｂ）に、設置部材２０に対して筺体ベース部３０を更に押し込んだ際の、返し部２５と爪かかり部３５との位置関係を示す。設置部材２０に対して筺体ベース部３０を押し込んでいくと、弾性係止爪２２は図中の矢印方向に変形し、返し部２５が爪かかり部３５を乗り越える。返し部２５は爪かかり部３５を超えると弾性によって元の姿勢に略戻り、返し部２５が爪かかり部３５に係合することとなる。複数の返し部２５が各々対応する爪かかり部３５と係合することにより、設置部材２０に対して筺体ベース部３０が固定される。
【００４２】
また、弾性係止爪２２が爪かかり部３５により係止されている状態は、筺体ベース部３０の周囲において設置作業者が目視可能となっている。このため、例えばメンテナンス時には設置部材２０に対して筺体ベース部３０がどのように固定されているか、設置作業者は一目で確認できる。このため、弾性係止爪２２を押し戻すことで筺体ベース部３０を設置部材２０より取り外せることが容易にわかるため、メンテナンス時等における作業性を向上させることができる。
【００４３】
次の手順では、筺体ベース部３０に対して筺体カバー部４０が取り付けられる。本実施例における筺体カバー部４０は、爪支持形状部４２において第１の実施例と異なる。本実施例における爪支持形状部４２は、係止溝３８の配置に対応して、該係止溝３８に嵌り込むことができる幅および厚さを有して筺体ベース部３０側（後方）に突き出すように設けられる。より詳細には、弾性係止爪２２が爪かかり部３５に係止された状態において、係止溝３８に嵌り込んだ爪支持形状部４２が、爪かかり部３５との間において弾性係止爪２２を狭持するような厚さを、該爪支持形状部４２は有する。
【００４４】
図７（ｃ）に、設置部材２０に取り付けた筺体ベース部３０に対して筺体カバー部４０を取り付けた際の位置関係を示す。係止溝３８に嵌り込んだ爪支持形状部４２は、弾性係止爪２２の外側に位置し、弾性係止爪２２が爪かかり部３５を乗り越えて抜けることを妨げる。筺体カバー部４０は、この状態で不図示のネジ等の締結部材によって筺体ベース部３０に対して固定される。従って、仮に筺体ベース固定ネジ３６（図１参照）により筺体ベース部３０を設置部材２０に固定することを忘れたとしても、筺体ベース部３０が衝撃などによって設置部材２０外れて落下する事故を未然に防ぐことができる。
【００４５】
以上のように、筺体カバー部４０を筺体ベース部３０に係合、固定することにより、爪支持形状部４２によって係止溝３８や弾性係止爪２２を外部から覆い隠すことができる。従って、撮像装置１０１がカメラ設置面２から撤去される等の可能性を下げられる。更に、第１の実施例と同様に筺体カバー部４０を筺体ベース部３０に固定する筺体カバー固定ネジ等のネジをタンパーネジ等のいたずら防止ネジとすれば、このネジ自体が容易に外せなくなる。従って、撮像装置１０１が容易にカメラ設置面２から取り外される、或いは持ち去られる等を防止できる。
【００４６】
以上に述べたように、本実施例に係る撮像装置では、所謂スナップフィット（２２，３８）により筺体ベース３０部（撮像装置１０１の本体）を設置部材２０に係止可能としている。そして、その際に、該スナップフィットの位置合せや係合状態を目視可能な構成を筺体ベース部３０に配することとしている。従って、カメラ設置面２に対する撮像装置１０１の取り付け作業中およびメンテナンス作業が容易となる。また、この撮像装置１０１にあっては、スナップフィットの係合部を筺体カバー部４０により覆い隠す構造も加えている。当該構造を加味することで、設置時およびメンテナンス時の作業性が高いにもかかわらず、設置後の盗難等の可能性を低減させた撮像装置を提供することができる。
【００４７】
即ち、本発明の一態様に係る撮像装置は、設置部材２０と、筺体ベース部３０とを少なくとも有する。設置部材２０は、カメラ設置面２に対して固定され、該カメラ設置面２から突き出すように設けられる係止爪（弾性係止爪２２）を有する。また、筺体ベース部３０は、カメラユニット５０と回路基板５１とを含む撮像ユニットが固定され、係止爪（２２）が係合する被係合部（爪かかり部３５）を有する。そして、この被係合部（３５）は、筺体ベース部３０における設置面側から該設置面側とは反対の側に貫通する少なくとも係止穴３２および係止溝（３８）の何れかである係止部の各々に設けられる。なお、第１の実施例では係止穴３２を設けた場合、第２の実施例では係止溝３８を設けた場合を例示したが、係止穴３２と係止溝３８とが併用されてもよい。
【００４８】
なお、実施例にて述べたように、係止爪（２２）は、突き出し方向とは異なる方向に撓むことが可能な弾性を有するとよい。係止爪（２２）が弾性を有することにより、係止爪（２２）と被係合部（３５）との係合が、更なる構成を付加することなく容易に行える。また、被係合部（３５）は少なくとも係止穴３２および係止溝（３８）の何れかに設けられた段差であり、係止爪（２２）は突き出し方向とは異なる方向に突き出した返し部２５を有する。返し部２５は係止爪（２２）の延在方向に対してこれとは異なる方向、例えば弾性の働く方向に突き出すように設けられる。また、段差からなる被係合部（３５）は、この返し部２５の突き出し方向に対応して設けられる。例えば係止溝の場合、段差部は溝の底面を更に深くすることにより設けられ、返し部２５はこの底面に向かって突き出すように設けられる。そして、この返し部２５が段差に係合することにより、係止爪（２２）が被係合部（３５）と係合する。
【００４９】
少なくとも係止穴３２および係止溝（３８）の何れかは、設置者等がその部分における係止爪（２２）の係合状態等を容易に観察できると共に、これを解除することも容易である。このため、係止爪（２２）への容易なアクセスを防ぐために、これらを設置面側とは反対の側（前方側）から覆う、筺体ベース部３０に対して取り外し可能なカバー部材を更に備えるとよい。なお、このカバー部材は、係止穴３２および係止溝（３８）の何れかのみを覆う形状であればよい。更にこの場合、カバー部材は、少なくとも係止穴３２および係止溝（３８）の何れかに嵌り込んで係止爪（２２）と被係合部（３５）との係合の解除を防ぐ爪支持形状部４２を有するとよい。爪支持形状部４２を配することにより、返し部２５が被係合部（３５）に対して押圧固定され、係止爪（２２）と被係合部（３５）との係合の不測の解除の可能性を低減できる。
【００５０】
なお、上述したカバー部材は、筺体カバー部４０として、筺体ベース部３０に固定される撮像ユニットを設置面（２）側とは反対の側（前方側）から覆うこととするとよい。撮像ユニットのカバーと該カバー部材とを一体とすることにより、構成部品の低減と、カバー部材の取付け作業の容易化が図られる。更にこの場合、筺体カバー部４０が上述した爪支持形状部４２を有するとよい。更に、この爪支持形状部４２は、筺体カバー部４０から筺体ベース部３０へ向かって突き出す凸形状を有するとよい。
【００５１】
更に、この爪支持形状部４２は、対応する少なくとも係止穴３２および係止溝（３８）の何れかに嵌り込むことにより、筺体カバー部４０と筺体ベース部３０のとの位置決めを行う。これにより、筺体カバー部４０が有する窓部材４４は、カメラユニット５０に対して適切な位置に保持される。また、上述した第三者による撤去や盗難に対応するために、筺体カバー部４０は所謂タンパーネジにより筺体ベース部３０に固定されるとよい。なお、ここでは、ネジ頭部の溝形状が特定のドライバーにのみ対応するように設けられたネジ等、特定の様式によらずに取り外すことが困難なネジをタンパーネジと称する。
【００５２】
筺体カバー部４０と筺体ベース部３０とは、これらの間においてシール構造を有する。該シール構造は、上述した撮像ユニットが固定される空間を、少なくとも係止穴３２および係止溝（３８）の何れかが連通する空間から閉鎖する。本実施例では、このシール構造は、筺体ベース部３０に設けられたリブ形状部３１と、筺体カバー部４０に設けられた筺体パッキング４１とより構成される。リブ形状部３１と筺体カバー部４０とにより筺体パッキング４１を狭持することで、係止穴３２等からの内部空間への水等の侵入を抑制する。
【００５３】
また、少なくとも係止穴３２および係止溝（３８）の何れかは、図５に示したように、被係合部（３５）と係止爪（２２）との係合を解除する工具を挿入する空間（工具挿入形状部３９）を更に有するとよい。工具挿入形状部３９は、段差部（被係合部）の返し部２５の突き出し方向に存在する更なる空間として設けられる。この工具挿入形状部３９に工具を挿入して返し部２５を突き出し方向とは逆の方向に押圧することにより。返し部２５と被係合部（３５）との係合を容易に解除できる。更に、少なくとも係止穴３２および係止溝（３８）の何れかは、設置面（２）側から反対の側に向かうに従って形成方向に垂直な断面積が小さくなる形状を有するとよい。これにより、筺体ベース部３０を設置部材２０に仮固定する際に、各々の配置の多少のずれを許容することが可能となり設置作業がより容易となる。
【００５４】
以上、実施例を参照して本発明について説明したが、本発明は上述した実施例に限定されるものではない。本発明の趣旨に反しない範囲で変更された発明、および本発明と均等な発明も本発明に含まれる。また、上述した実施例は、本発明の趣旨に反しない範囲で適宜組み合わせることができる。
【符号の説明】
【００５５】
１、１０１：撮像装置、  ２：カメラ設置面、  ３：配線穴、  １１：筺体ユニット、  ２０：設置部材、  ２１：設置ベース部、  ２２：弾性係止爪、  ２３：係止穴、  ２４：落下防止ワイヤ固定部、  ２５：返し部、  ２６：筺体ベース固定穴、  ３０：筺体ベース部、  ３２：係止穴、  ３３：ケーブルパッキング、  ３４：落下防止ワイヤ、  ３５：爪かかり部、  ３８：係止溝、  ４０：筺体カバー部、  ４２：爪支持形状部、  ５０：カメラユニット、  ５１：回路基板
【図１】
2020014131.tif 000003
【図２】
2020014131.tif 000004
【図３】
2020014131.tif 000005
【図４】
2020014131.tif 000006
【図５】
2020014131.tif 000007
【図６】
2020014131.tif 000008
【図７】
2020014131.tif 000009